(57)【要約】【課題】本発明は、パネルに入射する外光を遮断するシート及びそれを利用したプラズマディスプレイ装置を提供する。【解決手段】プラズマディスプレイ装置は、プラズマディスプレイパネルと、パネルの前面に配置され、ベース部と、ベース部に形成された外光を吸収する複数のパターン部とを含む外光遮断シートと、を備え、複数のパターン部のうち少なくとも一つの前面形状は０．５度ないし４５度の平均の傾きを有して上昇する上昇部と、-４５度ないし-０．５度の平均の傾きを有して下降する下降部と、を含むことを特徴とする。【選択図】図３
2008046645.tif 000002
【特許請求の範囲】
【請求項１】
プラズマディスプレイパネルと、
前記パネルの前面に配置され、ベース部と、前記ベース部に形成された外光を吸収する複数のパターン部とを含む外光遮断シートと、
を備えたプラズマディプレイ装置であって、
前記複数のパターン部のうち少なくとも一つの前面形状は、０．５度ないし４５度の平均の傾きを有して上昇する上昇部と、-４５度ないし-０．５度の平均の傾きを有して下降する下降部とを含むことを特徴とするプラズマディスプレイ装置。
【請求項２】
前記上昇部の平均の傾きは、０．５度ないし２０度であることを特徴とする請求項１に記載のプラズマディスプレイ装置。
【請求項３】
前記下降部の平均の傾きは、-２０度ないし-０．５度であることを特徴とする請求項１に記載のプラズマディスプレイ装置。
【請求項４】
前記上昇部及び下降部のうち少なくともいずれか一つの傾きは、漸進的に上昇するか、または下降することを特徴とする請求項１に記載のプラズマディスプレイ装置。
【請求項５】
前記パターン部の最高点と最低点との間の垂直方向の間隔は、水平方向の間隔の０．３６倍以下であることを特徴とする請求項１に記載のプラズマディスプレイ装置。
【請求項６】
前記パターン部は、前記ベース部より屈折率が大きく、前記ベース部と前記パターン部との屈折率の差は０．０５ないし０．３であることを特徴とする請求項１に記載のプラズマディスプレイ装置。
【請求項７】
前記パターン部の屈折率は、前記ベース部の屈折率の１．０倍ないし１．３倍であることを特徴とする請求項１に記載のプラズマディスプレイ装置。
【請求項８】
前記パターン部の上端と前記上端より幅が大きい下端のうち前記上端が前記パネルにさらに接するように配置されることを特徴とする請求項１に記載のプラズマディスプレイ装置。
【請求項９】
プラズマディスプレイパネルと、
前記パネルの前面に配置され、ベース部と、前記ベース部に形成された外光を吸収する複数のパターン部とを含む外光遮断シートと、
を備えたプラズマディスプレイ装置であって、
前記外光遮断シートは、
並んだ方向で互いに接するように形成された第１パターン部および第２パターン部と、
前記第１、２パターン部と交差する方向に形成され、前記第１、２パターン部を連結する第３パターン部と、を有することを特徴とするプラズマディスプレイ装置。
【請求項１０】
前記第１パターン部と第３パターン部とがなす角度は、４５度ないし１３５度であることを特徴とする請求項９に記載のプラズマディスプレイ装置。
【請求項１１】
前記第３パターン部の幅は、前記第１パターン部の幅の０．１倍ないし５倍であることを特徴とする請求項９に記載のプラズマディスプレイ装置。
【請求項１２】
前記第３パターン部の幅は、前記第１パターン部の幅より小さいことを特徴とする請求項９に記載のプラズマディスプレイ装置。
【請求項１３】
前記第３パターン部の幅は、前記第１パターン部の幅の０．３倍ないし０．６倍であることを特徴とする請求項９に記載のプラズマディスプレイ装置。
【請求項１４】
前記第３パターン部の幅は、５．４μｍないし３５μｍであることを特徴とする請求項９に記載のプラズマディスプレイ装置。
【請求項１５】
前記外光遮断シートは、前記第３パターン部と接するように形成され、前記第１、２パターン部を連結する第４パターン部をさらに有しており、
水平方向に形成された前記第１、２パターン部の間の間隔は、前記第３、４パターン部の間の間隔より小さいことを特徴とする請求項９に記載のプラズマディスプレイ装置。
【請求項１６】
前記第１、２パターン部の間の間隔は、前記第３、４パターン部の間の間隔の０．０５倍ないし０．５倍であることを特徴とする請求項１５に記載のプラズマディスプレイ装置。
【請求項１７】
前記第３、４パターン部の間の間隔は８０μｍないし１８００μｍであることを特徴とする請求項１５に記載のプラズマディスプレイ装置。
【請求項１８】
前記外光遮断シートは、
前記第３パターン部と接するように形成され、前記第１、２パターン部を連結する第４パターン部と、
前記第１、２パターン部と交差する方向に互いに接するように形成され、前記第１、２パターン部を連結する第５パターン部及び第６パターン部をさらに有しており、
前記第３、４パターン部の間の間隔は、前記第５、６パターン部の間の間隔と異なることを特徴とする請求項９に記載のプラズマディスプレイ装置。
【請求項１９】
前記パターン部は、前記ベース部より屈折率が大きく、
前記ベース部と前記パターン部の屈折率の差は、０．０５ないし０．３であることを特徴とする請求項９に記載のプラズマディスプレイ装置。
【請求項２０】
前記パターン部の屈折率は、前記ベース部の屈折率の１．０倍ないし１．３倍であることを特徴とする請求項９に記載のプラズマディスプレイ装置。
【請求項２１】
前記パターン部の上端と前記上端より幅が大きい下端のうち前記上端が前記パネルにさらに接するように配置されることを特徴とする請求項９に記載のプラズマディスプレイ装置。
【請求項２２】
プラズマディスプレイパネルと、
前記パネルの前面に配置され、ベース部と、前記ベース部に形成された外光を吸収する複数のパターン部とを含む外光遮断シートと、
を備えたプラズマディスプレイ装置であって、
前記複数パターン部の前面形状は、少なくとも一つの閉曲線を含むことを特徴とするプラズマディスプレイ装置。
【請求項２３】
前記複数パターン部の前面形状は少なくとも一つの多角形または円を含むことを特徴とする請求項２２に記載のプラズマディスプレイ装置。
【請求項２４】
ベース部と、
前記ベース部に形成された外光を吸収する複数のパターン部と、
を備えた外光遮蔽シートであって、
前記複数パターン部のうち少なくとも一つの前面形状は０．５度ないし４５度の平均の傾きを有して上昇する上昇部と、-４５度ないし-０．５度の平均の傾きを有して下降する下降部とを含むことを特徴とする外光遮断シート。
【請求項２５】
ベース部と、
前記ベース部に形成された外光を吸収する複数のパターン部と、
を備えた外光遮蔽シートであって、
前記複数パターン部は、
並んだ方向で互いに接するように形成された第１パターン部および第２パターン部と、
前記第１、２パターン部と交差する方向に形成され、前記第１、２パターン部を連結する第３パターン部とを含むことを特徴とする外光遮断シート。
【請求項２６】
前記第１パターン部と第３パターン部がなす角度は４５度ないし９０度であることを特徴とする請求項２３に記載の外光遮断シート。
【請求項２７】
ベース部と、
前記ベース部に形成された外光を吸収する複数のパターン部と、
を備えた外光遮蔽シートであって、
前記複数パターン部の前面形状は少なくとも一つの閉曲線を含むことを特徴とする外光遮断シート。
【発明の詳細な説明】
【技術分野】
【０００１】
本発明は、プラズマディスプレイ(Plasma display)装置に関し、特に、パネルの外部から入射される外光を遮断させるために外光遮断シート(sheet)を製作して、パネルの前面に配置することで、パネルの明室コントラスト(contrast)を向上させると共に輝度が維持されるプラズマディスプレイ装置に関する。
【背景技術】
【０００２】
一般に、プラズマディスプレイパネル(Plasma Display Panel)は、放電空間に設置された複数の電極に所定の電圧を印加して放電を発生させて、ガス放電時に発生するプラズマが蛍光体を励起させることによって文字またはグラフィックを含む画像を表示する装置である。プラズマディスプレイパネルには、大型化及び軽量化と平面薄型化が容易であり、上下左右の広い視野角を提供して、フルカラー及び高輝度を具現することができるという長所がある。
【０００３】
このようなプラズマディスプレイパネルは、ブラック(Black)映像を具現する時、パネルの下板に露出している白色系統の蛍光体によって外部光がパネルの前面で反射されることにより、ブラック映像が明るい系列の暗い色として認知され、コントラストが低下するという問題点がある。
【発明の開示】
【発明が解決しようとする課題】
【０００４】
本発明は、前記の従来技術に関する問題点を解決するために案出されたものであり、その目的は、パネルに入射する外部光を効果的に遮断することにより光の反射を防止して、プラズマディスプレイパネルの明室コントラスト及び輝度を改善するようにするプラズマディスプレイ装置を提供することにある。
【課題を解決するための手段】
【０００５】
本発明によるプラズマディスプレイ装置は、プラズマディスプレイパネルと、前記パネルの前面に配置され、ベース部と、前記ベース部に形成された外光を吸収する複数のパターン部と、を有する外光遮断シートを備えており、前記複数のパターン部のうち少なくとも一つの前面形状は０．５度ないし４５度の平均の傾きを有して上昇する上昇部と、-４５度ないし-０．５度の平均の傾きを有して下降する下降部と、を有することを特徴とする。
【０００６】
本発明による他のプラズマディスプレイ装置は、プラズマディスプレイパネルと、前記パネルの前面に配置され、ベース部と、前記ベース部に形成された外光を吸収する複数のパターン部と、を有する外光遮断シートを備えており、前記外光遮断シートは並んだ方向に互いに接するように形成された第１パターン部および第２パターン部と、前記第１、２パターン部と交差する方向に形成されて、前記第１、２パターン部を連結する第３パターン部と、を有することを特徴とする。
【０００７】
また、本発明による他のプラズマディスプレイ装置は、プラズマディスプレイパネルと、前記パネルの前面に配置され、ベース部と、前記ベース部に形成された外光を吸収する複数のパターン部と、を有する外光遮断シートを備えており、前記複数のパターン部の前面形状は少なくとも一つの閉曲線を含むことを特徴とする。
【０００８】
さらに、本発明による外光遮断シートは、ベース部と、前記ベース部に形成された外光を吸収する複数のパターン部と、を備えており、前記複数のパターン部のうち少なくとも一つの前面形状は０．５度ないし４５度の平均の傾きを有して上昇する上昇部と、-４５度ないし-０．５度の平均の傾きを有して下降する下降部と、を有することを特徴とする。
【０００９】
本発明による他の外光遮断シートは、ベース部と、前記ベース部に形成された外光を吸収する複数のパターン部と、を備えており、前記複数のパターン部のうち少なくとも一つの前面形状は０．５度ないし４５度の平均の傾きを有して上昇する上昇部と、-４５度ないし-０．５度の平均の傾きを有して下降する下降部と、を有することを特徴とする。
【００１０】
また、本発明による他の外光遮断シートは、ベース部と、前記ベース部に形成された外光を吸収する複数のパターン部と、を備えており、前記複数のパターン部の前面形状は少なくとも一つの閉曲線を含むことを特徴とする。
【発明の効果】
【００１１】
本発明によると、外部から入射する光を最大限に吸収及び遮断する外光遮断シートをディスプレイパネルの前面に配置することにより、ブラック(black)映像を効果的に具現することができ、明室コントラスト(contrast)を改善することができる。また、外光を吸収するパターン部の方向を２以上に形成して左右視野角を大きく狭めないことにより、上下側のみならず左側または右側から入射する外光も吸収することができる。
【発明を実施するための最良の形態】
【００１２】
以下、本発明の望ましい実施例を図１ないし図３０を参照して詳しく説明する。図１はプラズマディスプレイパネルに対する一実施例を斜視図で示すものである。
【００１３】
図１に示すように、プラズマディスプレイパネルは、上部基板１０上に形成される維持電極対であるスキャン電極１１及びサステイン電極１２、下部基板２０上に形成されるアドレス電極２２を含む。
【００１４】
前記維持電極対１１、１２は、通常、酸化インジウムスズ(Indium-Tin-Oxide：ＩＴＯ)で形成された透明電極１１ａ、１２Ａとバス電極１１ｂ、１２ｂを含み、バス電極１１ｂ、１２ｂは、銀(Ａｇ)、クロム(Ｃｒ)などの金属またはクロム/銅/クロム(Ｃｒ／Ｃｕ／Ｃｒ)の積層型やクロム/アルミニウム/クロム(Ｃｒ／Ａｌ／Ｃｒ)の積層型で形成してもよい。バス電極１１ｂ、１２ｂは透明電極１１ａ、１２ａ上に形成され、抵抗が高い透明電極１１ａ、１２ａによる電圧降下を低減する役割を果たす。
【００１５】
一方、本発明の一実施例によると、維持電極対１１、１２は透明電極１１ａ、１２ａとバス電極１１ｂ、１２ｂが積層された構造だけでなく、透明電極１１ａ、１２ａを使用することなく、バス電極１１ｂ、１２ｂだけで構成してもよい。このような構造は、透明電極１１ａ、１２ａを使わないので、パネルの製造単価を低減することができるという長所がある。このような構造に使用されるバス電極１１ｂ、１２ｂとして、上記の通り列挙した材料以外に感光性材料等、多様な材料を使用してもよい。
【００１６】
スキャン電極１１及びサステイン電極１２の透明電極１１ａ、１２ａと、バス電極１１ｂ、１２ｂとの間には、上部基板１０の外部で発生する外部光を吸収して反射を低減する光遮断機能と、上部基板１０のピュリティ(Purity)及びコントラストを向上させる機能とを果たすブラックマトリックス(Black Matrix、ＢＭ)を配列してもよい。
【００１７】
本発明の一実施例によるブラックマトリックスは、上部基板１０に形成されるが、隔壁２１と重畳する位置に形成される第１ブラックマトリックス１５と、透明電極１１ａ、１２ａとバス電極１１ｂ、１２ｂとの間に形成される第２ブラックマトリックス１１ｃ、１２ｃで構成してもよい。ここで、第１ブラックマトリックス１５と、ブラック層またはブラック電極層とも称す第２ブラックマトリックス１１ｃ、１２ｃは、形成過程で同時に形成され、物理的に連結されてもよく、同時に形成されず、物理的に連結されなくてもよい。
【００１８】
また、物理的に連結して形成される場合、第１ブラックマトリックス１５と第２ブラックマトリックス１１ｃ、１２ｃは同一の材質で形成されるが、物理的に分離して形成される場合には、他の材質で形成してもよい。バス電極１１ｂ、１２ｂまたは隔壁２１が暗い色を有することで、ブラックマトリックスのように外部で発生する外部光を吸収して反射を低減する光遮断機能と、コントラストを向上させる機能とを果たすこともできる。また、上部基板１０に形成された特定部材、例えば誘電体層１３と、下部基板２０に形成された特定部材、例えば隔壁２１とが互いに補色関係を有することで、パネルの前面から見る時に重畳する部分が黒い色に近くなるように見えるようにして、ブラックマトリックスと同様の機能を果たすこともできる。
【００１９】
スキャン電極１１とサステイン電極１２が並んで形成された上部基板１０には、上部誘電体層１３と保護膜１４とが積層される。上部誘電体層１３には放電によって発生した荷電粒子が蓄積され、維持電極対１１、１２を保護する機能を遂行する。保護膜１４は、ガス放電時に発生した荷電粒子のスパッタリングから上部誘電体層１３を保護し、２次電子の放出効率を高めるようになる。
【００２０】
また、アドレス電極２２は、スキャン電極１１及びサステイン電極１２と交差する方向に形成される。アドレス電極２２が形成された下部基板２０上には下部誘電体層２４と隔壁２１とが形成される。
【００２１】
また、下部誘電体層２４と隔壁２１との表面には蛍光体層２３が形成される。隔壁２１は、縦隔壁２１ａと横隔壁２１ｂとが閉鎖型で形成され、放電セルを物理的に区分し、隣接する放電セルに放電で生成された紫外線と可視光が漏洩することを防止する。
【００２２】
図１を参照すると、本発明によるプラズマディスプレイパネルの前面にフィルタ１００を形成することが望ましく、フィルタ１００には外光遮断シート、反射防止（Anti-Reflection；ＡＲ)シート、近赤外線（Near Infrared；ＮＩＲ)遮蔽シート、電磁波（Electro Magnetic Interference；ＥＭＩ)遮蔽シート、拡散シート、光特性シートなどが含まれてもよい。
【００２３】
フィルタ１００とパネルとの間の間隔が１０μmないし３０μmである時、外部から入射する光を効果的に遮断することができ、パネルで発生する光を外部に効果的に放出することができる。また、外部からの圧力などからパネルを保護するために、フィルタ１００とパネルとの間の間隔を３０μmないし１２０μmに設定してもよく、衝撃防止のためにフィルタ１００とパネルとの間に衝撃吸収機能を有する粘着層を形成してもよい。
【００２４】
本発明の一実施例には、図１に示す隔壁２１の構造だけでなく、多様な形状の隔壁２１の構造を形成してもよい。例えば、縦隔壁２１ａと横隔壁２１ｂの高さが異なる隔壁構造、縦隔壁２１ａまたは横隔壁２１ｂのうち少なくとも一つ以上に排気通路として使用可能なチャネル(Channel)が形成されたチャネル型隔壁構造、縦隔壁２１ａまたは横隔壁２１ｂのうちの一つ以上に溝(Hollow)が形成された溝型隔壁構造などを形成してもよい。
【００２５】
ここで、縦横隔壁の高さが異なる隔壁構造の場合には、横隔壁２１ｂの高さが縦隔壁２１ａよりも高いことが望ましく、チャネル型隔壁構造や溝型隔壁構造の場合には、横隔壁２１ｂにチャネルが形成されるか、または溝が形成されることが望ましい。
【００２６】
一方、本発明の一実施例ではＲ、Ｇ及びＢ放電セルのそれぞれが同一線上に配列されることが図示及び説明されているが、他の形状で配列されてもよい。例えば、Ｒ、Ｇ及びＢ放電セルが三角形の形状で配列されるデルタ(Delta)タイプの配列でもよい。また、放電セルの形状も四角形状だけでなく、五角形、六角形などの多様な多角形状であってもよい。
【００２７】
また、蛍光体層２３は、ガス放電時に発生した紫外線によって発光し、赤色(Ｒ)、緑(Ｇ)または青色(Ｂ)のうちいずれか一つの可視光を発生する。ここで、上部/下部基板１０、２０と隔壁２１との間に設けられた放電空間には、放電のためのＨｅ＋Ｘｅ、Ｎｅ＋Ｘｅ及びＨｅ＋Ｎｅ＋Ｘｅなどの不活性混合ガスが注入される。
【００２８】
図２は、本発明によるフィルタに具備される外光遮断シート構造に関する一実施例を断面図で示すものである。なお、外光遮断シートは、ベース部２００及びパターン部２１０を含んでなる。
【００２９】
ベース部２００は、光が円滑に透過することができるように、透明なプラスチック材質、例えば紫外線ＵＶ硬化方式で形成された樹脂(Resin)系列の物質で公正されるのが望ましくて、パネルの前面を保護する効果を高めるために、堅固なガラス(Glass)材質を使用してもよい。
【００３０】
図２を参照すると、パターン部２１０の形状は三角形であるが、その以外の多様な形状を有してもよい。パターン部２１０は、ベース部２００より暗い色の物質で形成され、望ましくは黒い色の物質で形成される。例えば、パターン部２１０はカーボン(carbon)系列の物質で形成するか、または黒い色の染料を塗布して外光を吸収する効果を極大化することができる。以下では、パターン部２１０の上端と下端のうち幅が広い方をパターン部２１０の下端とする。
【００３１】
図２において、パターン部２１０の下端がパネル側に配置されて、パターン部２１０の上端が、外光が入射する観察者側に配置される。また、この配置と反対に、パターン部２１０の下端が観察者側に配置され、パターン部２１０の上端がパネル側に配置されてもよい。
【００３２】
外部光源はパネルの上側に位置するのが一般的であるので、外光は上側から斜めにパネルに入射してパターン部２１０に吸収される。
【００３３】
パターン部２１０は、光吸収粒子を含んでもよく、光吸収粒子は特定色で着色された樹脂粒子であってもよい。光吸収効果を最大化するために、光吸収粒子は黒い色で着色されることが望ましい。
【００３４】
光吸収粒子の製造及びパターン部２１０内部への添加は容易であり、外光を吸収する効果を最大化するために、光吸収粒子の大きさを１μｍ以上にしてもよい。また、光吸収粒子の大きさが１μｍ以上である場合、パターン部２１０で屈折する外光を効果的に吸収するために、パターン部２１０は光吸収粒子を１０重量％以上含んでもよい。すなわち、パターン部２１０は、パターン部２１０全体の重量の１０％以上の重量の光吸収粒子を含んでもよい。
【００３５】
図３ないし図６は、外光遮断シートの構造による光特性を説明するために外光遮断シートの構造に関する実施例を断面図で示すものである。
【００３６】
図３は、外光を吸収・遮断し、パネルから放出される可視光線を全反射してパネル光の反射率を高めるために、パターン部３０５の屈折率、少なくともパターン部３０５の一部分である傾斜面の屈折率をベース部３００の屈折率より小さくした場合である。
【００３７】
前記のように、プラズマディスプレイパネルの明室コントラストを低下させる外光は、パネルの上側に位置する場合が多い。図３を参照すると、スネル(snell)の法則によって、外光遮断シートに斜めに入射する外光(点線で示す)は、ベース部３００より小さな屈折率を有するパターン部３０５内部に屈折・吸収される。パターン部３０５内部に屈折する外光は、光吸収粒子によって吸収される。
【００３８】
また、表示のためにパネル３１０から外部に放出される光(実線で示す)は、パターン部３０５の傾斜面で全反射されて、観察者側である外部に反射される。
【００３９】
前記のように、外光(点線で示す)はパターン部３０５で屈折・吸収され、パネル３１０から放出される光(実線で示す)はパターン部３０５で全反射される理由は、図３に示すように、パネル３１０の光がパターン部３０５の傾斜面となす角よりも外光がパターン部３０５の傾斜面となす角の方が大きいからである。
【００４０】
したがって、本発明による外光遮断シートは、外光が観察者側で反射しないように外光を吸収して、パネル３１０から放出される光の反射量を高めることで、ディスプレイ映像の明室コントラストを向上させることができる。
【００４１】
パネル３１０に入射される外光の角度を考慮して、外光の吸収及びパネル３１０光の全反射を最大化するためには、パターン部３０５の屈折率は、ベース部３００の屈折率の０．３倍以上１倍未満であることが望ましい。パネル３１０から放出される光がパターン部３０５の傾斜面で全反射されることを最大化するためには、プラズマディスプレイパネルの上下視野角を考慮すると、パターン部３０５の屈折率はベース部３００の屈折率の０．３倍ないし０．８倍であることが望ましい。
【００４２】
図３に示すように、パターン部３０５の上端が観察者側に配置され、パターン部３０５の屈折率がベース部３００の屈折率より小さい場合には、パネルから放出される光がパターン部３０５の傾斜面で反射して観察者側に広がるので、観察者側で視認する際に映像が鮮明ではなく、崩れたように見えるゴースト(ghost)現象が発生することがある。
【００４３】
図４は、パターン部３２５の上端が観察者側に配置され、パターン部３２５の屈折率がベース部３２０の屈折率より大きい場合を示す。図４を参照すると、パターン部３２５の屈折率がベース部３２０の屈折率より大きいので、スネルの法則により、パターン部３２５に入射する外光及びパネル光はすべてパターン部３２５に吸収される。
【００４４】
したがって、パターン部３２５の上端が観察者側に配置され、パターン部３２５の屈折率がベース部３２０の屈折率より大きい場合、ゴースト現象を減少させることができる。パターン部３２５に斜めに入射するパネル光を充分に吸収してゴースト現象を防止するためには、パターン部３２５の屈折率とベース部３２０の屈折率との差が０．０５以上であることが望ましい。
【００４５】
パターン部３２５の屈折率をベース部３２０の屈折率より大きくする場合、外光遮断シートの透過率及び明室コントラストが減少する可能性があるので、ゴースト現象を防止すると共に外光遮断シートの透過率を大きく低下させないようにするためには、パターン部３２５の屈折率とベース部３２０の屈折率との差が０．０５ないし０．３であることが望ましい。また、ゴースト現象を防止すると共にパネルの明室コントラストを適正水準で維持するためには、パターン部３２５の屈折率をベース部３２０の屈折率の１．０倍ないし１．３倍にすることが望ましい。
【００４６】
図５は、パターン部３４５の下端が観察者側に配置され、パターン部３４５の屈折率がベース部３４０の屈折率より小さい場合を示す。図５に示すように、パターン部３４５の下端を外光が入射する観察者側に配置し、パターン部３４５の下端に外光が吸収されるようにすることで、外光遮断効果を向上させることができる。また、図５の例では、図４に示す場合よりもパターン部３４５の下端間の間隔を大きくすることができるので、外光遮断シートの開口率を向上させることができる。
【００４７】
図５に示すように、パネル３５０から放出されるパネル光は、パターン部３４５の傾斜面で反射して、ベース部３４０を通過したパネル光を中心に集めることができる。これにより、外光遮断シートの透過率を大きく低下させることなく、ゴースト現象を減少させることができる。
【００４８】
パネル光がパターン部３４５の傾斜面で反射してベース部３４０を通過したパネル光を中心に集めることによりゴースト現象を防止するためには、パネル３５０と外光遮断シートとの間の間隔ｄが１．５ないし３．５ｍｍであることが望ましい。
【００４９】
図６は、パターン部３６５の下端が観察者側に配置され、パターン部３６５の屈折率がベース部３６０の屈折率より大きい場合を示す。図６に示すように、パターン部３６５の屈折率がベース部３６０の屈折率より大きいので、パターン部３６５の傾斜面に入射するパネル光はパターン部３６５に吸収される。これにより、ベース部３６０を通過したパネル光によって映像が表示されるので、ゴースト現象を減少することができる。
【００５０】
また、パターン部３６５の屈折率がベース部３６０の屈折率より大きいので、外光吸収効果を向上させることができる。
【００５１】
図７は、本発明によるフィルタに具備される外光遮断シートの構造に関する第１実施例を断面図で示すものである。外光遮断シートの厚さＴが２０μｍないし２５０μｍである場合、製造工程が容易であり、適切な光透過率を有することができる。パネルから放出される光を円滑に透過させ、外部から入射する光が屈折してパターン部４１０で効果的に吸収及び遮断されるようにして、シートの堅固性を確保するためには、外光遮断シートの厚さＴは１００μｍないし１８０μｍで形成してもよい。
【００５２】
図７を参照すると、ベース部４００上に形成されるパターン部４１０は、三角形の形態を有するが、二等辺三角形の形態を有することが望ましい。また、パターン部４１０の下端幅Ｐ１は１８μｍないし３６μｍで形成してもよく、この場合、パネルから発生する光を円滑にユーザ側に放出するための開口率を確保して、外光遮断効率を極大化することができる。
【００５３】
パターン部４１０の高さｈを８０μｍないし１７０μｍで形成し、下端幅Ｐ１との関係で、外光の吸収及びパネル光の反射を効果的に行う傾斜面の傾きを形成してもよく、これにより、パターン部４１０の短絡を防止することができる。
【００５４】
パネル光をユーザ側に放出して適正輝度のディスプレイ映像を表示するための開口率を確保して、外光遮断効果及びパネル光反射効率を増加させるための最適なパターン部４１０の傾斜面の傾きを確保するためには、互いに接した二つのパターン部間の間隔Ｄ１は４０μｍないし９０μｍであってもよく、互いに接したパターン部上端間の間隔Ｄ２は９０μｍないし１３０μｍであってもよい。
【００５５】
前記のような理由によって、互いに接した二つのパターン部間の間隔Ｄ１がパターン部４１０下端幅の１．１倍ないし５倍である場合、表示のための開口率を確保することができる。また、開口率確保と共に外光遮断効果及びパネル光反射効率を最適化するためには、互いに接した二つのパターン部間の間隔Ｄ１がパターン部４１０下端幅の１．５倍ないし３．５倍であってもよい。
【００５６】
パターン部４１０の高さｈが互いに接した二つのパターン部間の間隔Ｄ１の０．８９倍ないし４．２５倍の範囲を有する場合、上側から斜めに入射する外光がパネルに入射しないようにすることができる。また、パターン部４１０の短絡を防止してパネル光の反射効率を最適化するためには、パターン部４１０の高さｈが互いに接した二つのパターン部間の間隔Ｄ１の１．５倍ないし３倍であってもよい。
【００５７】
また、互いに接した二つのパターン部上端間の間隔Ｄ２が互いに接した二つのパターン部下端間の間隔Ｄ１の１倍ないし３．２５倍である場合、適正輝度を有する映像を表示するための開口率を確保することができる。また、パネル光がパターン部４１０の傾斜面で全反射される反射効率を最適化するためには、互いに接した二つのパターン部上端間の間隔Ｄ２が互いに接した二つのパターン部下端間の間隔Ｄ１の１．２倍ないし２．５倍であってもよい。
【００５８】
前記ではパターン部４１０の上端が観察者側に配置される場合を例にして本発明による外光遮断シートの構造に関して説明したが、図７を参照して上記に記載した内容は、パターン部４１０の下端が観察者側に配置される場合にも適用可能である。
【００５９】
図８は、外光遮断シートに一列で形成されたパターン部の前面形状に関する一実施例を示すものである。図８に示すように、パターン部５００は、ベース部５１０上に所定の間隔を有して一列で形成されることが望ましい。
【００６０】
外光遮断シートに所定の間隔で形成された複数のパターン部５１０と、パネルに所定のパターンを有して形成されたブラックマトリックス、ブラック層、バス電極、隔壁などが重畳することによってモアレ現象が発生する場合がある。モアレ現象とは、類似の格子模様のパターンが重畳しながら発生する低周波のパターンを指すが、例えば、蚊帳を重畳して置いた時に見える波柄パターンなどがある。
【００６１】
図８に示すように、複数のパターン部５１０をななめに形成することで、パネルに形成されたブラックマトリックス、ブラック層、バス電極、隔壁などと重畳することによって発生するモアレ現象を減少させることができる。
【００６２】
モアレ現象を減少させるためには、複数のパターン部５１０の傾斜角度θ１は０．５度ないし２０度であるのことが望ましい。すなわち、外光遮断シートのパターン部５１０がパネルに形成されたブラックマトリックスと０．５度ないし２０度の角度を有して斜めに形成される場合、モアレ現象を減少させることができる。また、パネルに入射する外部光が使用者の頭上に存在する場合が多いことを考慮すると、パターン部５１０の傾斜角度θ１が０．５度ないし５度である場合にモアレ現象を防止すると共に、適正開口率を確保してパネル光の反射効率を増加させることができ、外部光を最も効果的に遮断することができる。
【００６３】
また、上記のような理由で外光遮断シートのパターン部５１０とパネルの上部基板に形成されたバス電極または下部基板に形成された横隔壁がなす角度が０．５度ないし２０度である場合、モアレ現象を減少させることができる。また、パネルに入射する外部光が使用者の頭上に存在する場合が多いことを考慮すると、パターン部とバス電極または横隔壁がなす角度が０．５度ないし５度である場合、モアレ現象を防止すると共に、適正開口率を確保してパネル光の反射効率を増加させることができ、外部光を最も効果的に遮断することができる。
【００６４】
図８では、パターン部５１０が外光遮断シートの左側下端から右側上端方向に斜めに形成されているが、他の実施例では、パターン部５１０が外光遮断シートの左側上端から右側下端方向に上記の角を有して斜めに形成されてもよい。
【００６５】
本発明による外光遮断シートのパターン部は２以上の方向に形成され、パネルの上下側のみならず、パネルの左側または右側から入射する外光も吸収するようにすることが望ましい。左側または右側から入射する外光が外光遮断シートのパターン部に吸収されるようにすることで、ディスプレイ映像の明室コントラストをさらに向上させることができる。
【００６６】
図９Ａないし図１４Ｃは、本発明による外光遮断シートの前面形状に関する実施例を簡略に示すものである。本発明による外光遮断シートは、図９Ａないし図１４Ｃに示す前面形状以外に、３以上の方向から入射する外光を吸収するために複数のパターン部が２以上の方向に形成された多くの構造を有してもよい。
【００６７】
図９Ａを参照すると、ベース部６００上に形成されたパターン部６１０は、上昇する傾きを有する部分と下降する傾きを有する部分とを含んでもよく、これにより、パターン部６１０はパネルの上側、下側、右側及び左側から入射する外光をすべて吸収することができる。
【００６８】
図９Ｂを参照すると、パネルに入射する外光を効果的に吸収するためには、大部分の外光がパネルの上側から入射されることを考慮すると、パターン部６１１の上昇する部分の傾きθ２は０．５度ないし４５度であることが望ましく、パターン部６１１の下降する部分の傾きθ３は-（マイナス）０．５度ないし-４５度であることが望ましい。
【００６９】
パターン部６１１の傾きを過度に大きく形成する場合、パネルの左右視野角が小さくなる問題がある。パネルの上、下、左、右側から入射する外光を吸収すると共に、パネルの左右視野角を充分に確保し、パネルの開口率を充分に確保してパネルの輝度の減少を防止するためには、パターン部６１１の上昇する部分の傾きθ２が０．５度ないし２０度であってもよく、パターン部６１１の下降する部分の傾きθ３が-０．５度ないし-２０度であってもよい。
【００７０】
したがって、パターン部６１１の最高点と最低点との間の垂直方向の間隔ｂが最高点と最低点との間の水平方向の間隔ａの０．３６倍以下である場合、外光吸収効率、左右視野角及び輝度を向上させることができる。
【００７１】
図１０Ａを参照すると、パネルに上下方向または左右方向に真っ直ぐに形成された電極、隔壁等との間で発生するモアレ現象を減少させて、パターン部６３０の製作工程の容易性を向上させるため、パターン部６３０の前面形状が曲線形態を有してもよい。
【００７２】
図１０Ｂを参照すると、大部分が上側から入射して、左右側から入射する量が少ない外光を効果的に吸収するためには、パターン部６３１の上昇する部分の平均の傾きθ４は０．５度ないし４５度であることが望ましく、パターン部６３１の下降する部分の平均の傾きθ５は-０．５度ないし-４５度であることが望ましい。
【００７３】
また、パネルの上、下、左、右側から入射する外光を吸収すると共に、パネルの左右視野角を充分に確保して映像の輝度減少を防止するためには、パターン部６３１の上昇する部分の平均の傾きθ４が０．５度ないし２０度であってもよく、パターン部６３１の下降する部分の平均の傾きθ５が-０．５度ないし-２０度であってもよい。
【００７４】
したがって、外光吸収効率、左右視野角及び輝度を同時に改善するためには、パターン部６３１の最高点と最低点との間の垂直方向の間隔ｄが水平方向の間隔ｄの０．３６倍以下であってもよい。
【００７５】
図１１Ａを参照すると、外光遮断シートのベース部７００は、水平方向、すなわちパネルの左側から右側方向に形成された第１パターン部７１０と、第１パターン部と交差して垂直方向に形成された第２パターン部７２０とを含む。したがって、水平方向に形成された第１パターン部７１０は、パネルの上側及び下側から入射する外部光を吸収し、垂直方向に形成された第２パターン部７２０は、パネルの左側及び右側から入射する外部光を吸収する。パターン部７１０、７２０がパネルの上、下、左、右側面で入射する外部光を吸収することで、ディスプレイ映像の明室コントラストが向上させることができる。
【００７６】
また、図１１Ｂに示すように、垂直方向のパターン部７５０、７５５を同一線上に配置されないように配置することで一定のパターンを形成する他の構造物、例えば電磁波遮蔽シートのメッシュ(mesh)パターンは、パネルに形成された電極、隔壁またはブラックマトリックス等との間で発生するモアレ現象を減少させることができる。
【００７７】
図１１Ｂを参照すると、ベース部７３０に形成されるパターン部７４０、７５０、７５５は、水平方向に形成されたパターン部７４０と、垂直方向に形成されたパターン部７５０、７５５からなる。また、垂直方向のパターン部７５０、７５５は、互いに接する水平方向の二つのパターン部を連結する。
【００７８】
図１１Ａ及び図１１Ｂに示すように、パターン部の前面形状が１以上の閉曲線を含むようにすることで、外光遮断シートのパターン部がパネルの上、下、左、右側から入射する外光をすべて吸収するようにすることができる。
【００７９】
図１１Ｃを参照すると、パネルの上、下、左、右側から入射する外光を吸収すると共に、パネルの開口率を充分に確保して映像の輝度低下を減少させて、パターン部７５１、７５２、７５３の幅を製造が容易な範囲にするためには、垂直方向のパターン部７５１の幅ｆは、水平方向のパターン部７４１の幅ｅの０．１倍ないし５倍の範囲にすることが望ましい。
【００８０】
一般に、パネルの上下視野角より左右視野角が小さくなる場合、使用者が不便をさらに大きく感じることを考慮すると、垂直方向のパターン部７５１の幅ｆは水平方向のパターン部７４１の幅ｅより小さいことが望ましい。したがって、垂直方向のパターン部７５１の幅ｆを水平方向のパターン部７４１の幅ｅの０．３倍ないし０．６倍で形成することで、パネルの左右視野角を充分に確保すると共に外光吸収効率及び映像の輝度を改善することができる。
【００８１】
また、パネルの左右視野角が過度に小さくなることを防止するため、互いに接する二つの水平方向のパターン部７４１、７４２との間の間隔ｇは、互いに接する二つの垂直方向のパターン部７５１、７５２との間の間隔ｈより小さいことが望ましい。
【００８２】
したがって、パネルの左右視野角を充分に確保すると共に、外光吸収効率及び映像の輝度を改善するためいは、互いに接する二つの水平方向の二つのパターン部７４１、７４２との間の間隔ｇは、互いに接する二つの垂直方向のパターン部７５１、７５２との間の間隔ｈの０．０５倍ないし０．５倍であってもよい。
【００８３】
これにより、上記で説明したように、互いに接する二つの水平方向の二つのパターン部７４１、７４２との間の間隔ｇは、４０μｍないし９０μｍであることが望ましいので、互いに接した二つの垂直方向のパターン部７５１、７５２との間の間隔ｈを８０μｍないし１８００μｍとし、垂直方向のパターン部７５１の幅ｆを水平方向のパターン部７４１の幅ｅの０．３倍ないし０．６倍にすることが望ましい。
【００８４】
上記のように等しいパターンで形成された部分が重畳することによりモアレ現象が発生する場合があるので、垂直方向のパターン部７５１、７５２、７５３とパネルに一定間隔を有して垂直方向に形成された電極または隔壁との間でモアレ現象が発生する場合がある。
【００８５】
図１１Ｃを参照すると、互いに接する二つの垂直方向のパターン部間の間隔ｈ、ｉを互いに相異になるようにし、一定間隔でパネルに形成された電極または隔壁等と一定パターンを形成しないようにすることにより、モアレ現象を減少させることができる。
【００８６】
また、図１２Ａに示すように、垂直方向のパターン部７８０、７９０を所定の角度を有して斜めに傾けて形成することで、パネルに垂直方向に形成された電極または隔壁等との間で発生するモアレ現象を減少させることができる。
【００８７】
図１２Ｂを参照すると、外光吸収效率及びパネルの左右視野角を向上させると共にモアレ現象の発生を減少させるためには、水平方向のパターン部７７１と垂直方向のパターン部７８２とがなす角度Φ１は４５度ないし１３５度であることが望ましい。また、水平方向のパターン部７７１と二つの垂直方向のパターン部７８２、７８３のそれぞれがなす角度Φ１、Φ２は、互いに相異であってもよい。
【００８８】
また、図１３に示すように、水平方向のパターン部７９２と垂直方向のパターン部７９５をそれぞれΦ３、Φ４程度斜めに傾けて形成することにより、パネルに電極または隔壁等の間で発生するモアレ現象を減少させることができる。上記のように、水平方向のパターン部７９２の傾斜角度Φ３は０．５度ないし２０度であってもよく、垂直方向のパターン部７９５の傾斜角度Φ４は４５度ないし１３５度であってもよい。
【００８９】
図１４Ａないし図１４Ｃは、複数のパターン部の前面形状が１以上の閉曲線を含む外光遮断シートの構造に関する他の実施例を示すものである。図示するように、複数のパターン部８００、８１０、８２０の前面形状は、１以上の多角形または円を含んでもよい。これにより、複数のパターン部８００、８１０、８２０は３以上の方向から入射する外光を吸収することができる。
【００９０】
また、本発明による外光遮断シートのパターン部の前面形状は図１４Ａないし図１４Ｃに示す形状以外に、１以上の閉曲線を含む多くの形状を有してもよい。
【００９１】
図１５ないし図１９は、外光遮断シートのパターン部の形状に関する実施例を断面図で示すものである。
【００９２】
図１５を参照すると、パターン部９００は左右非対称形状で形成される。すなわち、パターン部９００の左右傾斜面の面積が相異であるか、または左右傾斜面のそれぞれが下端となす角が互いに相異であってもよい。一般に、外光を発生させる物体はパネルの上側に位置するので、外光は一定角度範囲内でパネルの上側からパネルに入射する。よって、外光吸収効果を増加させて、パネルから放出される光の反射率を増加させるためには、パターン部９００の二つの傾斜面のうち外光が入射する上側傾斜面の傾きを下側傾斜面の傾きより緩く形成することができる。すなわち、パターン部９００の二つの傾斜面のうち上側傾斜面の傾きが下側傾斜面の傾きより小さくすることができる。
【００９３】
図１６を参照すると、パターン部９１０は台形の形状を有する。この場合、上端の幅Ｐ２が下端の幅Ｐ１より小さく形成される。また、パターン部９１０上端の幅Ｐ２は１０μｍ以下であってもよく、これにより、下端幅Ｐ１との関係で、外光の吸収及びパネル光の反射を効果的に行うことができる傾斜面の傾きを形成することができる。
【００９４】
図１７ないし図１９に示すように、外光遮断シートのパターン部９２０、９３０、９４０の形状は、左右傾斜面が所定の曲率を有する曲線形態である。この場合、斜めに入射する外光の遮断効果を向上させるためには、パターン部９２０、９３０、９４０傾斜面の傾きの変化量は下端から上端に行くほど減少することが望ましい。
【００９５】
また、図１７ないし図１９に示すパターン部の形状に関する実施例において、パターン部の角部分が所定の曲率を有する曲線形態を有してもよい。
【００９６】
図２０は下端が凹んだ形態を有するパターン部の形状に関する実施例を断面図で示すものである。図２０に示すように、パターン部の下端１０１５が、真ん中が丸く凹むか、内側に入って凹んだ形態を有することにより、パネルから放出される光がパターン部の下端１０１５で反射して、発生する映像のにじみ現象を減少させることができ、また、外光遮断シートが異なる機能性シートまたはパネルに付着する場合に接着部位の面積を増加させることで接着力を向上させることができる。
【００９７】
すなわち、中心部分における高さが最外郭部分における高さより小さい値を有するようにパターン部１０１０を形成することにより、凹んだ形態の下端１０１５を含むパターン部１０１０を形成することができる。
【００９８】
パターン部１０１０は、ベース部１０００に形成された溝に光吸収物質などを満たすことにより形成するが、ベース部１０００に形成された溝のうち、一部分をパターン部１０１０をなす光吸収物質で満たし、残りの部分を空の状態の空間として残してもよい。これにより、パターン部の下端１０１５は、真ん中部分が内部に引き入れられて凹んだ形態を有することができる。
【００９９】
図２１に示すように、パターン部１０３０の下端が平らな場合、パネルから放出されてパターン部１０３０の下端に斜めに入射する光をパネル方向に反射することができる。上記のように、パネル方向に反射するパネル光によって特定位置に表示しなければならない映像が特定位置の周辺に表示されることにより、映像のにじみ現象が発生し、ディスプレイ映像の鮮明度を低下させることがある。
【０１００】
図２２を参照すると、凹んだ形態を有するパターン部１０１０の下端に斜めに入射する光の入射角θ２は、図２１に示す平らなパターン部１０３０の下端に入射する光の入射角θ１より小くなる。したがって、図２１に示す平らなパターン部１０３０の下端で反射するパネル光は、図２２に示す凹んだ形態を有するパターン部１０１０の下端では、パターン部１０１０の内部に吸収される。これにより、ディスプレイ映像のにじみ現象を減少させて、映像の鮮明度を向上させることができる。
【０１０１】
図２３は、下端が凹んだパターン部を含む外光遮断シートの構造に関する実施例を断面図で示すものであり、パターン部１１１０の下端を凹んだ形態にして観察者側に配置したものである。
【０１０２】
図２３を参照すると、観察者側に配置されたパターン部１１１０の下端を凹んだ形態で形成することにより、パターン部１１１０下端で吸収される外光の入射角の範囲を拡大させることができる。すなわち、パターン部１１１０の下端を凹んだ形態で形成する場合、外光のパターン部１１１０下端への入射角を大きくすることができ、これにより外光吸収効果を向上させることができる。
【０１０３】
図２４は、下端が凹んだ形態を有するパターン部の形状に関する実施例を断面図で示すものである。次の表１は、パターン部１２１０の下端を凹んだ形態で形成することで生ずる溝の深さａと、パターン部１２１０の下端幅dによるディスプレイ映像のにじみ現象の減少の可否を実験した結果であり、下端が平らなパターン部を有する外光遮断シートが配置されたプラズマディスプレイパネルに比べて、映像のにじみ現象が減少するか否かを実験した結果である。
【０１０４】
【表１】
2008046645.tif 000003
【０１０５】
表１に示すように、パターン部１２１０の下端に形成された溝の深さａが１．５μｍないし７．０μｍである場合、ディスプレイ映像のにじみ現象を減少させて映像の鮮明度を向上させることができる。
【０１０６】
また、外部衝撃などによるパターン部１２１０の破損防止及びパターン部１２１０形成工程の容易性を考慮すると、パターン部１２１０の下端に形成された溝の深さａは２μｍないし５μｍであることが望ましい。
【０１０７】
図７を参照して説明したように、パターン部１２１０の下端幅dが１８μｍないし３５μｍである場合、パネル光の放出のための開口率を確保して外光遮断効果を極大化することができるので、パターン部１２１０の下端幅ｄはパターン部１２１０の下端に形成された溝の深さａの３．６倍ないし１７．５倍であることが望ましい。
【０１０８】
一方、パターン部１２１０の高さｃが８０μｍないし１７０μｍである場合、外光の吸収及びパネル光の反射を効果的に行う傾斜面の傾きを形成することができるので、パターン部１２１０の高さｃがパターン部１２１０の下端に形成された溝の深さａの１６倍ないし８５倍であることが望ましい。
【０１０９】
また、外光遮断シートの厚さｂが１００μｍないし１８０μｍである場合、パネル光の円滑な透過と外光の効果的な吸収及び遮断を達成することができ、シートの堅固性を確保することができるので、外光遮断シートの厚さｂはパターン部１２１０の下端に形成された溝の深さａの２０倍ないし９０倍であることが望ましい。
【０１１０】
図２５を参照すると、パターン部１２３０は台形の形状を有する。この場合、上端の幅ｅが下端の幅ｄより小さく形成されることが望ましい。また、パターン部１２３０上端の幅ｅは１０μｍ以下である場合、下端幅ｄとの関係で外光の吸収及びパネル光の反射を効果的に行う傾斜面の傾きを形成することができる。この場合でも、パターン部１２３０下端に形成された溝の深さａとパターン部１２３０下端幅ｄの間の関係は、図２４を参照して説明したものと等しい。
【０１１１】
図２６は外光遮断シートの厚さとパターン部の高さとの間の関係を説明するために外光遮断シートの構造を断面図で示すものである。
【０１１２】
図２６を参照すると、パターン部を含む外光遮断シートの堅固性を確保すると共に、画像を表示するためにパネルから放出される可視光の透過率を確保するためには、外光遮断シートの厚さＴは１００μｍないし１８０μｍであることが望ましい。
【０１１３】
外光遮断シートに具備されるパターン部の高さｈが８０μｍないし１７０μｍである場合、パターン部の製造が最も容易であって、外光遮断シートの適切な開口率を確保することができ、外光遮断効果及びパネルから放出される光の反射効果を最大化することができる。
【０１１４】
パターン部の高さｈは、外光遮断シートの厚さＴによって変更することができる。一般に、パネルに入射して明室コントラストの低下に影響を与える外光は、主にパネルの位置より上側に位置する。したがって、一定範囲の入射角θを有してパネルに入射する外光を効果的に遮断するためには、パターン部の高さｈと外光遮断シートの厚さＴの割合が一定範囲内の値を有することが望ましい。
【０１１５】
パターン部の高さｈが増加するほどパターン部上端部分のベース部の厚さが薄くなり、これにより絶縁破壊が発生する場合がある。また、パターン部の高さｈが減少するほど一定範囲内の角度を有する外光がパネルに入射し、外光をまともに遮蔽することができない場合がある。
【０１１６】
次の表２は、外光遮断シートの厚さＴとパターン部の高さｈによって外光遮断シートの絶縁破壊及び外光遮断効果を実験した結果である。
【０１１７】
【表２】
2008046645.tif 000004
【０１１８】
表２を参照すると、外光遮断シートの厚さＴが１２０μｍである場合、パターン部の高さｈが１１５μｍ以上で形成されれば、パターン部が絶縁破壊される危険性があり、製品の不良率が増加する。パターン部の高さｈが１１５μｍ以下で形成されれば、パターン部が絶縁破壊される恐れがなく、外光遮断シートの不良率を減少させることになる。しかし、パターン部の高さが８５μｍ以下で形成される時には、パターン部による外部光の遮蔽效率が減少する場合があり、６０μｍ以下で形成される場合には、外光がパネルに入射される場合がある。これにより、パターン部の高さｈが９０μｍないし１１０μｍである場合、外光遮断シートの外光遮断効率を増加させると共に不良率を減少させることができる。
【０１１９】
また、外光遮断シートの厚さＴがパターン部高さｈの１．０１倍ないし２．２５倍である場合、パターン部上端部分の絶縁破壊を防止することができ、外光がパネルに入射することを防止することができる。また、絶縁破壊及び外光のパネルへの入射を防止すると共に、パネルから放出される光の反射量を増加させて視野角を確保するためには、外光遮断シートの厚さＴがパターン部の高さｈの１．０１倍ないし１．５倍であってもよい。
【０１２０】
次の表３は外光遮断シートのパターン部下端幅とパネルの上部基板に形成されるバス電極の幅の割合によるモアレ現象発生の可否及び外光遮断効果を実験した結果である。なお、表３はバス電極の幅は７０μｍの場合である。
【０１２１】
【表３】
2008046645.tif 000005
【０１２２】
表３を参照すると、パターン部下端の幅がバス電極幅の０．２倍ないし０．５倍である場合、モアレ現象を減少させると共にパネルに入射する外光を減少させることができる。また、モアレ現象を防止して外光を効果的に遮断すると共に、パネル光の放出のための開口率を確保するためには、パターン部下端の幅がバス電極幅の０．２５倍ないし０．４倍であることが望ましい。
【０１２３】
次の表４は、外光遮断シートのパターン部下端幅とパネルの下部基板に形成される縦隔壁の幅の割合によりモアレ現象発生の可否及び外光遮断効果を実験した結果である。なお、表４は縦隔壁の幅が５０μｍの場合である。
【０１２４】
【表４】
2008046645.tif 000006
【０１２５】
表４を参照すると、パターン部の下端幅が縦隔壁の上端幅の０．３倍ないし０．８倍である場合、モアレ現象を減少させると共にパネルに入射する外光を減少させることができる。また、モアレ現象を防止して外光を効果的に遮断すると共に、パネル光の放出のための開口率を確保するためには、パターン部の下端幅が縦隔壁の上端幅の０．４倍ないし０．６５倍であることが望ましい。
【０１２６】
図２７ないし図３０は、本発明によるフィルタの構造に関する実施例を断面図で示すものであり、プラズマディスプレイパネルの前面に形成されるフィルタは反射防止／近赤外線（ＡＲ/ＮＩＲ）シート、電磁波（ＥＭＩ）遮蔽シート、外光遮断シート、光特性シートなどを含んでもよい。
【０１２７】
図２７及び図２８を参照すると、ＡＲ/ＮＩＲシート１３１０は、透明なプラスチック材質で構成されたベースシート１３１３の前面に、外部から入射する光の反射を防止して、眩しさ現象を減少させる機能を果たす反射防止（Anti-Reflection；ＡＲ)層１３１１が付着され、後面にはパネルから放射される近赤外線を遮蔽してリモートコントローラなどのように赤外線を利用して伝達する信号が正常に伝達するようにする近赤外線（Near Infrared；ＮＩＲ)遮蔽シート１３１２が付着される。
【０１２８】
ＥＭＩ遮蔽シート１３２０は、透明なプラスチック材質で構成されたベースシート１３２２の前面に、電磁波障害(Electromagnetic Interference；ＥＭＩ)を遮蔽してパネルから放射されるＥＭＩの外部への放出を防止するＥＭＩ遮蔽シート１３２１が付着される。この時、一般的にはＥＭＩ遮蔽シート１３２１は導電性を有する物質を利用してメッシュ(Mesh)構造で形成されて、接地を円滑にすることができるように画像が表示されないＥＭＩ遮蔽シート１３２０の非有効表示領域に導電性物質が全体的に塗布される。
【０１２９】
一般的に外部光源は室内や外部で観察者の頭上に存在する場合が最も多い。このような外部光を効果的に遮断してプラズマディスプレイパネルのブラック映像をさらに暗く表現することができるようにするために、外光遮断シート１３３０が付着される。
【０１３０】
このようなＡＲ/ＮＩＲシート１３１０、ＥＭＩ遮蔽シート１３２０、外光遮断シート１３３０の間には粘着剤１３４０が層をなしており、シート１３１０、１３２０、１３３０及びフィルタ１３００のそれぞれがパネルの前面に堅固に付着されるようにする。また、それぞれのシート１３１０、１３２０、１３３０の間に含まれたベースシートの材質は、フィルタ１３００製作の容易性を考慮して、実質的に同一材質を使用することが望ましい。
【０１３１】
一方、図２７では、ＡＲ/ＮＩＲシート１３１０、ＥＭＩ遮蔽シート１３２０、外光遮断シート１３３０の順序で積層されているが、図２８に示すように、ＡＲ／ＮＩＲシート１３１０、外光遮断シート１３３０、ＥＭＩ遮蔽シート１３２０の順序で積層することができるように、各シートの積層順序は当業者によって異なるようにしてもよい。また、図示したシート１３１０、１３２０、１３３０のうち少なくともいずれか一層を省略してもよい。
【０１３２】
図２９及び図３０を参照すると、パネルの前面に形成されるフィルタ１４００は、ＡＲ/ＮＩＲシート１４１０、ＥＭＩ遮蔽シート１４３０及び外光遮断シート１４４０以外に、光特性シート１４２０をさらに含む。光特性シート１４２０は、パネルから入射する光の色温度及び輝度特性を改善し、透明なプラスチック材質で構成されたベースシート１４２２の前面または後面に、所定の染料と粘着剤で構成された光特性層１４２１が積層される。
【０１３３】
図２７ないし図３０に示すベースシートのうち少なくとも一つのベースシートを省略してもよく、ベースシートのうちいずれか一つはプラスチック材質ではない堅固なガラス(Glass)を使用してパネル保護機能を向上させてもよい。ガラスはパネルから所定間隔を有して離隔して形成することが望ましい。
【０１３４】
また、本発明によるフィルタは、拡散シートをさらに含んでもよい。拡散シートは、光が均一な明るさを維持するように入射する光を拡散させる役割を果たす。これにより、拡散シートは、パネルから放出される光を均一に拡散させ、ディスプレイ画面の上下視野角を広げて、外光遮断シートなどに形成されたパターンを隠蔽することができる。また、拡散シートは、上下視野角に該当する方向に光を集光して正面輝度を均一にさせると共に向上させることができ、帯電防止性を向上させることができる。
【０１３５】
拡散シートは、透過型または反射型拡散フィルムなどを使用してもよく、一般にポリマ(polymer)材料のベースシートに小さい硝子玉粒子が混合した形態を有してもよい。また、拡散シートのベースシートで高純度アクリル樹脂(ＰＭＭＡ)を利用してもよく、高純度アクリル樹脂(ＰＭＭＡ)を利用する場合、シートの厚さが厚い反面、耐熱性が良く、発熱が多い大型ディスプレイ装置に利用することができる。
【０１３６】
以上、本発明の望ましい実施例に関して詳細に記述したが、本発明が属する技術分野において通常の知識を有する者であれば、特許請求の範囲に定義された本発明の精神及び範囲を逸脱することなく、本発明を様々な形態に変形または変更して実施可能であることは明白である。よって、本発明のこれからの実施例の変更は、本発明の技術を逸脱することはできないものである。
【図面の簡単な説明】
【０１３７】
【図１】プラズマディスプレイパネルの構造に関する一実施例を示す斜視図である。
【図２】本発明による外光遮断シートの概略的な断面構造に関する一実施例を示す断面図である。
【図３】外光遮断シートの構造による光特性を示す断面図である。
【図４】外光遮断シートの構造による光特性を示す断面図である。
【図５】外光遮断シートの構造による光特性を示す断面図である。
【図６】外光遮断シートの構造による光特性を示す断面図である。
【図７】外光遮断シートのパターン部の形状に関する第１実施例示す断面図である。
【図８】外光遮断シートに一列に形成されたパターン部の前面形状に関する一実施例を示す図面である。
【図９Ａ】本発明による外光遮断シートの前面形状に関する実施例を簡略に示す図面である。
【図９Ｂ】本発明による外光遮断シートの前面形状に関する実施例を簡略に示す図面である。
【図１０Ａ】本発明による外光遮断シートの前面形状に関する実施例を簡略に示す図面である。
【図１０Ｂ】本発明による外光遮断シートの前面形状に関する実施例を簡略に示す図面である。
【図１１Ａ】本発明による外光遮断シートの前面形状に関する実施例を簡略に示す図面である。
【図１１Ｂ】本発明による外光遮断シートの前面形状に関する実施例を簡略に示す図面である。
【図１１Ｃ】本発明による外光遮断シートの前面形状に関する実施例らを簡略に示す図面である。
【図１２Ａ】本発明による外光遮断シートの前面形状に関する実施例を簡略に示す図面である。
【図１２Ｂ】本発明による外光遮断シートの前面形状に関する実施例を簡略に示す図面である。
【図１３】本発明による外光遮断シートの前面形状に関する実施例を簡略に示す図面である。
【図１４Ａ】本発明による外光遮断シートの前面形状に関する実施例を簡略に示す図面である。
【図１４Ｂ】本発明による外光遮断シートの前面形状に関する実施例を簡略に示す図面である。
【図１４Ｃ】本発明による外光遮断シートの前面形状に関する実施例を簡略に示す図面である。
【図１５】外光遮断シートのパターン部形状に関する第２ないし第７実施例を示す断面図である。
【図１６】外光遮断シートのパターン部形状に関する第２ないし第７実施例を示す断面図である。
【図１７】外光遮断シートのパターン部形状に関する第２ないし第７実施例を示す断面図である。
【図１８】外光遮断シートのパターン部形状に関する第２ないし第７実施例を示す断面図である。
【図１９】外光遮断シートのパターン部形状に関する第２ないし第７実施例を示す断面図である。
【図２０】下端が凹んだ形態を有するパターン部の断面形状に関する実施例及びその光特性を説明するための断面図である。
【図２１】下端が凹んだ形態を有するパターン部の断面形状に関する実施例及びその光特性を説明するための断面図である。
【図２２】下端が凹んだ形態を有するパターン部の断面形状に関する実施例及びその光特性を説明するための断面図である。
【図２３】下端が凹んだ形態を有するパターン部の断面形状に関する実施例及びその光特性を説明するための断面図である。
【図２４】下端が凹んだ形態を有するパターン部の断面形状に関する実施例及びその光特性を説明するための断面図である。
【図２５】下端が凹んだ形態を有するパターン部の断面形状に関する実施例及びその光特性を説明するための断面図である。
【図２６】外光遮断シートに形成された隣接するパターン部間の間隔とパターン部の高さとの関係を説明するための断面図である。
【図２７】外光遮断シートを含むフィルタ構造に関する実施例を示す断面図である。
【図２８】外光遮断シートを含むフィルタ構造に関する実施例を示す断面図である。
【図２９】外光遮断シートを含むフィルタ構造に関する実施例を示す断面図である。
【図３０】外光遮断シートを含むフィルタ構造に関する実施例を示す断面図である。
【符号の説明】
【０１３８】
３０５  パターン部
３００  ベース部
３１０  パネル
【図１】
2008046645.tif 000007
【図２】
2008046645.tif 000008
【図３】
2008046645.tif 000009
【図４】
2008046645.tif 000010
【図５】
2008046645.tif 000011
【図６】
2008046645.tif 000012
【図７】
2008046645.tif 000013
【図８】
2008046645.tif 000014
【図９Ａ】
2008046645.tif 000015
【図９Ｂ】
2008046645.tif 000016
【図１０Ａ】
2008046645.tif 000017
【図１０Ｂ】
2008046645.tif 000018
【図１１Ａ】
2008046645.tif 000019
【図１１Ｂ】
2008046645.tif 000020
【図１１Ｃ】
2008046645.tif 000021
【図１２Ａ】
2008046645.tif 000022
【図１２Ｂ】
2008046645.tif 000023
【図１３】
2008046645.tif 000024
【図１４Ａ】
2008046645.tif 000025
【図１４Ｂ】
2008046645.tif 000026
【図１４Ｃ】
2008046645.tif 000027
【図１５】
2008046645.tif 000028
【図１６】
2008046645.tif 000029
【図１７】
2008046645.tif 000030
【図１８】
2008046645.tif 000031
【図１９】
2008046645.tif 000032
【図２０】
2008046645.tif 000033
【図２１】
2008046645.tif 000034
【図２２】
2008046645.tif 000035
【図２３】
2008046645.tif 000036
【図２４】
2008046645.tif 000037
【図２５】
2008046645.tif 000038
【図２６】
2008046645.tif 000039
【図２７】
2008046645.tif 000040
【図２８】
2008046645.tif 000041
【図２９】
2008046645.tif 000042
【図３０】
2008046645.tif 000043